(57)【要約】【課題】本発明は、オペレータの視覚的特徴に適した表示を行う表示制御装置、表示制御プログラム及び記録媒体に関する。【解決手段】情報処理装置ＰＣ１〜ＰＣｎは、弱視、色弱、色盲等の操作者の視覚的特徴に関する項目が入力されると、該入力された視覚的特徴に関する項目に対応する操作画面の表示態様に関する情報としてのフォントを表示態様情報選択条件記憶部２３から取得し、該取得した表示態様に関する情報に基づいて印刷設定画面の表示態様を制御する。したがって、弱視、色弱、色盲等の視覚が不自由な操作者にとって見やすい印刷設定画面を簡単かつ適切に表示することができる。【選択図】          図２
2008176158.tif 000002
【特許請求の範囲】
【請求項１】
所定の操作を行う操作画面の表示を制御する表示制御装置であって、操作者の視覚的特徴に関する項目と該項目に対応する前記操作画面の表示態様に関する情報が予め登録されている表示態様登録手段と、所定の入力手段と、該入力手段で前記操作者の視覚的特徴に関する項目が入力されると、該入力された前記視覚的特徴に関する項目に対応する前記操作画面の表示態様に関する情報を前記表示態様登録手段から取得して、該取得した表示態様に関する情報に基づいて前記操作画面の表示態様を制御する表示制御手段とを備えていることを特徴とする表示制御装置。
【請求項２】
前記表示制御手段は、所定の視力確認項目を画面表示し、該視力確認項目に対する操作者による前記入力手段での入力操作内容から前記視覚的特徴に関する項目を取得することを特徴とする請求項１記載の表示制御装置。
【請求項３】
前記表示制御手段は、所定の複数種類のフォントの文字を画面表示し、操作者が前記入力手段で該フォントを選択すると、該選択されたフォントを前記操作画面の表示態様に関する情報として直接取得することを特徴とする請求項１記載の表示制御装置。
【請求項４】
前記表示制御装置は、前記入力手段での入力に基づく前記操作画面の表示態様に対する変更入力を可能とする設定変更手段を備えていることを特徴とする請求項１から請求項３のいずれかに記載の表示制御装置。
【請求項５】
前記表示制御手段は、前記設定変更手段で変更入力が行われると、該現在表示中の操作画面の表示態様を、直前の表示態様に戻すことを特徴とする請求項４記載の表示制御装置。
【請求項６】
前記表示制御装置は、前記操作画面が、所定のデータに対して所定のアプリケーションに所定の動作処理を行わせるための操作画面であることを特徴とする請求項１から請求項５のいずれかに記載の表示制御装置。
【請求項７】
前記表示制御装置は、前記アプリケーションがプリンタドライバであり、前記操作画面が所定のデータに対する該プリンタドライバの印刷設定画面であることを特徴とする請求項６記載の表示制御装置。
【請求項８】
前記表示制御装置は、操作者による前記入力手段での前記視覚的特徴に関する項目の入力を、前記データに対して前記アプリケーションに前記動作処理を行わせるための前記操作画面の初回表示時に行わせることを特徴とする請求項６または請求項７記載の表示制御装置。
【請求項９】
前記表示制御手段は、前記入力手段での入力に応じた前記操作画面の表示態様に関する情報を登録管理し、前記１つのアプリケーションに対して適用している該表示態様に関する情報を現在搭載または／及び今後搭載される他のアプリケーションに対しても適用することを特徴とする請求項６から請求項８のいずれかに記載の表示制御装置。
【請求項１０】
前記表示制御手段は、前記入力手段での入力に応じた前記操作画面の表示態様に関する情報を複数種類登録管理し、前記操作者が該表示態様に関する情報を前記入力手段で適宜選択すると、該選択された表示態様に関する情報に基づいて前記操作画面の表示態様を制御することを特徴とする請求項１から請求項９のいずれかに記載の表示制御装置。
【請求項１１】
前記表示制御手段は、前記入力手段での入力に応じた前記操作画面の表示態様を操作者毎に登録管理し、前記操作者が該操作者に対応して登録されている該表示態様に関する情報を前記入力手段で適宜選択すると、該選択された表示態様に関する情報に基づいて前記操作画面の表示態様を制御することを特徴とする請求項１から請求項１０のいずれかに記載の表示制御装置。
【請求項１２】
コンピュータを、請求項１から請求項１０のいずれかに記載の表示制御装置として機能させることを特徴とする表示制御プログラム。
【請求項１３】
請求項１２記載の表示制御プログラムを記録したことを特徴とする記録媒体。
【発明の詳細な説明】
【技術分野】
【０００１】
本発明は、表示制御装置、表示制御プログラム及び記録媒体に関し、詳細には、オペレータの視覚的特徴に適した表示を行う表示制御装置、表示制御プログラム及び記録媒体に関する。
【背景技術】
【０００２】
近年、情報化、情報のカラー化が進んできているが、このような状況の中で、文書画像の視認性を向上させるために、従来から、画像中のタイトルや書き手が読み手に強く伝えたい部分等について、他の部分と異なる文字の大きさや色、フォントを用いたり、アンダーライン等の文字以外の記号を付与して強調することが行われている。
【０００３】
ところが、このような文書画像における強調方法にあっては、書き手（作成者）が付加した強調のための情報が、必ずしも正しく読み手（利用者）側に伝わるとは限らない。例えば、作成者が強調部分を通常の文章部分と異なる色で文書を作成したとしても、利用者が色盲者や色弱者の場合には、色の違いを判別することが困難であり、強調部分も他の文章部分と同じように受け取られる可能性があり、また、例えば、作成者が通常の文章部分を明朝体で、強調部分をゴチック体で文書を作成した場合であっても、利用者が高齢の場合、明朝体とゴチック体の細かい違いを見分けることができない場合もあり、読み手に適切に強調を伝える上で、改良の必要があった。
【０００４】
そこで、本出願人は、先に、外部から入力された画像データに、予め登録された色盲および色弱者にとって誤認傾向のある色が含まれていると、該画像データの色を所定の色に変換して出力する画像形成装置を提案している（特許文献１参照）。
【０００５】
すなわち、この従来技術は、受信画像データの印刷出力に際して、色盲者や色弱者にとって誤認傾向のある色を適切な色に変換して印刷出力することで、色盲者および色弱者を含むユーザに対して、受信画像を見やすく、誤解のない画像として出力しようとしている。
【０００６】
【特許文献１】特開２００６−２４６０７２号公報
【発明の開示】
【発明が解決しようとする課題】
【０００７】
上記従来技術にあっては、受信画像に色盲者あるいは色弱者にとって誤認傾向のある色が含まれている場合には、適切な色に変換しているため、受信画像に関しては、色盲者等にとっても視認性を向上させた画像を出力することができていた。
【０００８】
ところが、色盲者や色弱者等のユーザが不自由を感じるのは、受信画像の視認においてだけではなく、各種操作を行う際の表示部の表示の視認においても同様である。そのため、上記従来技術では、表示における色盲者等にとっての視認性ついての不自由性が、依然として十分解決されておらず、改良の必要があった。
【０００９】
そこで、本発明は、視覚に不自由なユーザにとって該ユーザの視覚上の特徴に対応する表示を行う表示制御装置、表示制御プログラム及び記録媒体を提供することを目的としている。
【課題を解決するための手段】
【００１０】
請求項１記載の発明の表示制御装置は、所定の操作を行う操作画面の表示を制御する表示制御装置であって、操作者の視覚的特徴に関する項目と該項目に対応する前記操作画面の表示態様に関する情報が予め登録されている表示態様登録手段と、所定の入力手段と、該入力手段で前記操作者の視覚的特徴に関する項目が入力されると、該入力された前記視覚的特徴に関する項目に対応する前記操作画面の表示態様に関する情報を前記表示態様登録手段から取得して、該取得した表示態様に関する情報に基づいて前記操作画面の表示態様を制御する表示制御手段とを備えていることにより、上記目的を達成している。
【００１１】
この場合、例えば、請求項２に記載するように、前記表示制御手段は、所定の視力確認項目を画面表示し、該視力確認項目に対する操作者による前記入力手段での入力操作内容から前記視覚的特徴に関する項目を取得してもよい。
【００１２】
また、例えば、請求項３に記載するように、前記表示制御手段は、所定の複数種類のフォントの文字を画面表示し、操作者が前記入力手段で該フォントを選択すると、該選択されたフォントを前記操作画面の表示態様に関する情報として直接取得してもよい。
【００１３】
さらに、例えば、請求項４に記載するように、前記表示制御装置は、前記入力手段での入力に基づく前記操作画面の表示態様に対する変更入力を可能とする設定変更手段を備えていてもよい。
【００１４】
また、例えば、請求項５に記載するように、前記表示制御手段は、前記設定変更手段で変更入力が行われると、該現在表示中の操作画面の表示態様を、直前の表示態様に戻してもよい。
【００１５】
さらに、例えば、請求項６に記載するように、前記表示制御装置は、前記操作画面が、所定のデータに対して所定のアプリケーションに所定の動作処理を行わせるための操作画面であってもよい。
【００１６】
また、例えば、請求項７に記載するように、前記表示制御装置は、前記アプリケーションがプリンタドライバであり、前記操作画面が所定のデータに対する該プリンタドライバの印刷設定画面であってもよい。
【００１７】
さらに、例えば、請求項８に記載するように、前記表示制御装置は、操作者による前記入力手段での前記視覚的特徴に関する項目の入力を、前記データに対して前記アプリケーションに前記動作処理を行わせるための前記操作画面の初回表示時に行わせるものであってもよい。
【００１８】
また、例えば、請求項９に記載するように、前記表示制御手段は、前記入力手段での入力に応じた前記操作画面の表示態様に関する情報を登録管理し、前記１つのアプリケーションに対して適用している該表示態様に関する情報を現在搭載または／及び今後搭載される他のアプリケーションに対しても適用するものであってもよい。
【００１９】
さらに、例えば、請求項１０に記載するように、前記表示制御手段は、前記入力手段での入力に応じた前記操作画面の表示態様に関する情報を複数種類登録管理し、前記操作者が該表示態様に関する情報を前記入力手段で適宜選択すると、該選択された表示態様に関する情報に基づいて前記操作画面の表示態様を制御するものであってもよい。
【００２０】
また、例えば、請求項１１に記載するように、前記表示制御手段は、前記入力手段での入力に応じた前記操作画面の表示態様を操作者毎に登録管理し、前記操作者が該操作者に対応して登録されている該表示態様に関する情報を前記入力手段で適宜選択すると、該選択された表示態様に関する情報に基づいて前記操作画面の表示態様を制御するものであってもよい。
【００２１】
請求項１２記載の発明の表示制御プログラムは、コンピュータを、請求項１から請求項１０のいずれかに記載の表示制御装置として機能させることにより、上記目的を達成している。
【００２２】
請求項１３記載の発明の記録媒体は、請求項１２記載の表示制御プログラムを記録することにより、上記目的を達成している。
【発明の効果】
【００２３】
本発明によれば、操作者の視覚的特徴に関する項目が入力されると、該入力された視覚的特徴に関する項目に対応する操作画面の表示態様に関する情報を取得して、該取得した表示態様に関する情報に基づいて操作画面の表示態様を制御するので、音声ガイドソフト（読み上げソフト）を用いることなく、弱視、色弱、色盲等の視覚が不自由な操作者にとって見やすい操作画面を簡単かつ適切に表示することができ、操作性を向上させて利用性を向上させることができる。
【発明を実施するための最良の形態】
【００２４】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２５】
図１〜図１２は、本発明の表示制御装置、表示制御プログラム及び記録媒体の一実施例を示す図であり、図１は、本発明の表示制御装置、表示制御プログラム及び記録媒体の一実施例を適用した印刷システム１のシステム構成図である。
【００２６】
図１において、印刷システム１は、ネットワークＮＷに、複数の情報処理装置（表示制御装置）ＰＣ１〜ＰＣｎと複数の印刷装置Ｐｒ１〜Ｐｒｍが接続されている。なお、情報処理装置ＰＣ１〜ＰＣｎと印刷装置Ｐｒ１〜Ｐｒｍの台数は何ら限定されるものではない。また、本実施例においては、印刷システム１として、情報処理装置ＰＣ１〜ＰＣｎと印刷装置Ｐｒ１〜ＰｒｍがネットワークＮＷで接続されているが、印刷システムとしては、上記構成に限るものではなく、例えば、情報処理装置と印刷装置が一体化した複写装置（複写システム）等であってもよいし、情報処理装置と印刷装置が１対１で接続されていてもよい。
【００２７】
印刷装置Ｐｒ１〜Ｐｒｍは、例えば、印刷制御部と印刷エンジン部等を備えており、ネットワークＮＷを介して情報処理装置ＰＣ１〜ＰＣｎから印刷要求と印刷データを受信する。印刷装置Ｐｒ１〜Ｐｒｍは、その印刷制御部で、ネットワークＮＷからの印刷要求と印刷データを受け取り、その印刷エンジン部で、実際に印刷処理を行う。印刷エンジン部は、例えば、電子写真方式の印刷エンジンが用いられており、レーザを用いた電子写真方式での場合、記録紙に画像を記録出力するのに必要な部品、例えば、感光体、光書込部、現像部、帯電部及びクリーニング部等を備えている。そして、印刷エンジン部は、電子写真方式での場合、印刷制御部から受け取った印刷データにより光書込部を動作させて感光体上に静電潜像を形成し、現像部によりトナーを感光体上に供給して現像してトナー画像を形成する。印刷エンジン部は、給紙部から記録紙を感光体と転写部との間に給紙して、感光体上のトナー画像を記録紙に転写させ、トナー画像の転写された記録紙を定着部に搬送して、定着部で加熱・加圧して記録紙上のトナー画像を定着させることで、画像を形成する。
【００２８】
情報処理装置ＰＣ１〜ＰＣｎは、例えば、通常のハードウェア構成に、ディスプレイ（表示手段）、キーボード、マウス等の入力部（入力手段）等を備えたパーソナルコンピュータが用いられ、情報処理装置ＰＣ１について、そのソフトウェア構成を示すように、アプリケーション１１、ＯＳ（Operating System）１２及びプリンタドライバ１３等を備えている。この情報処理装置ＰＣ１〜ＰＣｎは、ＣＤ（Compact Disc）、ＣＤ−ＲＷ（Compact Disc Rewritable ）、フレキシブルディスク等の記録媒体に記録されている表示制御プログラムとしてのプリンタドライバを読み込んでプリンタドライバ１３として導入することで、後述する表示制御処理を実行する表示制御装置を有する情報処理装置として構築される。
【００２９】
情報処理装置ＰＣ１〜ＰＣｎは、ＯＳ１２上に、文書作成ソフトウェア、図形作成ソフトウェア、表計算ソフトウェア、データベースソフトウェア等の各種アプリケーション（アプリケーションソフトウェア）１１を搭載しており、これらのアプリケーション１１で作成された文書の印刷命令がアプリケーション１１から発行されると、ＯＳ１２を通して該文書データをプリンタドライバ１３に渡す。このアプリケーション１１の作成する文書には、文字、イメージ、グラフィック等の複数のオブジェクトが混在していてもよい。
【００３０】
プリンタドライバ１３としては、ネットワークＮＷに接続されている各印刷装置Ｐｒ１〜Ｐｒｍに対応するプリンタドライバがインストールされており、プリンタドライバ１３は、ユーザインターフェイスを通してユーザが設定した印刷設定内容に応じて、アプリケーション１１からの文書データの印刷先の印刷装置Ｐｒ１〜Ｐｒｍに適した印刷データに変換して、該印刷装置Ｐｒ１〜Ｐｒｍに送信する。情報処理装置ＰＣ１〜ＰＣｎは、図示しないハードディスク等の不揮発性メモリに、フォントタイプ、フォントサイズ、フォントカラー、フォントスタイル（太字、斜体、アンダーライン等）等の異なる複数種類のフォントを格納している。
【００３１】
プリンタドライバ１３は、図２に示すように、ＵＩ（ユーザインターフェイス）モジュール２１、描画処理モジュール２２、表示態様情報選択条件記憶部２３及び送信モジュール２４を有し、ＵＩモジュール（表示制御手段）２１は、印刷設定を行うための各種ユーザインターフェイス画面を表示することでオペレータ（操作者）とのインタフェースを司る。描画処理モジュール２２は、アプリケーション２２からの文書データを印刷装置Ｐｒ１〜Ｐｒｍに適した印刷データに変換する印刷データ作成処理を行い、送信モジュール２４は、描画処理モジュール２２の作成した印刷データを印刷装置Ｐｒ１〜Ｐｒｍに送信する。
【００３２】
表示態様情報選択条件記憶部（表示態様登録手段）２３は、オペレータの視覚的特徴に関する項目と該視覚的特徴に関する項目に対応したディスプレイへの表示態様に関する情報を格納している。このオペレータの視覚的特徴に関する項目としては、例えば、色弱、色盲、弱視等及びその程度であり、視覚的特徴に関する項目に対応する表示態様に関する情報としては、例えば、ＵＩモジュール２１による印刷設定画面のバックグラウンド色や図３に示すようなフォントタイプ、フォントサイズ、フォントカラー、フォントスタイル等である。そして、表示態様情報選択条件記憶部２３は、この視覚的特徴に関する項目と表示態様に関する情報とを対応させた視覚−表示情報として、例えば、テーブル形式で格納している。例えば、表示態様情報選択条件記憶部２３は、視覚的特徴に関する項目としての弱視に対応させて、統計上、世間で発見されている弱視者が見やすいフォントが表示態様に関する情報として登録されている。
【００３３】
ＵＩモジュール２１は、印刷設定画面を表示するのに先立って、まず、視覚的特徴に関する項目の入力画面（視覚的特徴入力画面）をディスプレイに表示させ、マウスやキーボード等の入力部の操作によって視覚的特徴に関する項目の入力操作が行われると、該入力された視覚的特徴に関する項目に対応する表示態様に関する情報を表示態様情報選択条件記憶部２３から取得して、該取得した表示態様に関する情報に基づいて印刷設定画面の表示態様を制御して表示する。また、ＵＩモジュール２１は、１つの印刷データに対して最初に印刷設定画面を表示する際に、前もってこの視覚的特徴入力画面を表示して、視覚的特徴に関する項目の入力を可能とする。
【００３４】
次に、本実施例の作用を説明する。本実施例の印刷システム１の情報処理装置ＰＣ１〜ＰＣｎは、印刷設定画面をオペレータの視覚的特徴に適した画面表示態様で表示する視覚的特徴対応表示制御処理を行う。
【００３５】
すなわち、情報処理装置ＰＣ１〜ＰＣｎは、オペレータがアプリケーション１１から印刷命令を発行したり、または、プリンタフォルダ上からプリンタドライバを起動させると、図４に示すように、対応するプリンタドライバ１３は、そのＵＩモジュール２１が、ユーザインターフェイス（ＵＩ）を開くのに先だって、このとき、図５に示す視覚的特徴入力画面ＵＧ１を表示させ（ステップＳ１０１）、該視覚的特徴入力画面ＵＧ１で視覚的特徴に関する項目として弱視者であるか否かを入力部の操作で入力させる（ステップＳ１０２）。
【００３６】
図５の視覚的特徴入力画面ＵＧ１は、弱視の場合の視覚的特徴に関する項目の入力画面を示しており、弱視でフォントの変更を要求するか、変更を要求しないかを入力部であるマウスで選択操作することができる。
【００３７】
ＵＩモジュール２１は、視覚的特徴に関する項目の入力が行われると、オペレータが弱視者であるかチェックし（ステップＳ１０３）、弱視者でないときには、フォント（ＵＩフォント）として、予め設定されているデフォルトのフォントを用いて印刷設定画面（操作画面）を表示して、印刷設定を可能として処理を終了する（ステップＳ１０４）。
【００３８】
ステップＳ１０３で、オペレータが弱視者のときには、ＵＩモジュール２１は、表示態様情報選択条件記憶部２３を参照して視覚的特徴に関する項目の弱視者に対応して表示態様に関する情報として登録されているフォント、すなわち、弱視者にとって見やすいフォントを選択し、該弱視者にとって見やすいフォントを用いて印刷設定画面を表示して、印刷設定を可能として処理を終了する（ステップＳ１０５）。
【００３９】
なお、図４では、オペレータの視覚的特徴に関する項目が弱視である場合について説明したが、弱視に限るものではなく、色弱、色盲等についても同様に適用することができる。
【００４０】
ＵＩモジュール２１は、上記視覚的特徴対応表示制御処理を、１つの印刷データに対して最初に印刷設定画面を表示する際に行う。
【００４１】
このように、本実施例の情報処理装置ＰＣ１〜ＰＣｎは、弱視、色弱、色盲等の操作者の視覚的特徴に関する項目が入力されると、該入力された視覚的特徴に関する項目に対応する操作画面の表示態様に関する情報としてのフォントの種類を表示態様情報選択条件記憶部２３から取得して、該取得した表示態様に関する情報に基づいて操作画面である印刷設定画面の表示態様を制御している。
【００４２】
したがって、音声ガイドソフト（読み上げソフト）を用いることなく、弱視、色弱、色盲等の視覚が不自由な操作者にとって見やすい印刷設定画面を簡単かつ適切に表示することができ、操作性を向上させて利用性を向上させることができる。
【００４３】
なお、上記説明においては、視覚的特徴に関する項目の入力を、弱視者、色弱者、色盲者等であるか否かをオペレータが選択操作することで行っているが、視覚的特徴に関する項目の入力方法は、上記方法に限るものではなく、例えば、図６に示すように、ＵＩモジュール２１が、視力確認項目をオペレータが選択操作することでオペレータの視力確認を行う視覚的特徴入力画面ＵＧ２をディスプレイに表示し、この視覚的特徴入力画面ＵＧ２でオペレータが自己の視力を選択操作することで、視覚的特徴に関する項目の入力を行ってもよい。なお、図６の視覚的特徴入力画面ＵＧ２は、視力確認項目として、０．５以上、０．１〜０．５、０．０３〜０．１、０．０３〜０．０１、０．０１以下または不明を表示し、ラジオボタンによってオペレータが選択する画面となっている。
【００４４】
また、視覚的特徴に関する項目の入力を行う視力確認項目は、上述のように視力を直接入力するものに限るものではなく、例えば、図７に示すように、ＵＩモジュール２１が、視力確認項目として文字「Ｃ」を表示して、該文字「Ｃ」の穴の開いている方向を記載したラジオボタンを選択させることで視力テストを行う視覚的特徴入力画面ＵＧ３をディスプレイに表示するとともに、「Ｃ」の文字のフォントを変えた視覚的特徴入力画面ＵＧ３を順次表示して、この視覚的特徴入力画面ＵＧ３でオペレータが「Ｃ」の開いている方向を示すラジオボタンを選択操作することで、視覚的特徴に関する項目の入力を行ってもよい。
【００４５】
このように視力確認項目を視覚的特徴入力画面ＵＧ３に表示して、操作者が適宜選択した選択結果を視覚的特徴に関する項目として取得すると、操作者の視覚的特徴に関する項目である弱視、色弱、色盲等の程度をより一層適切に取得することができ、操作者の視覚的特徴により一層適したフォント等の表示態様で画面表示することができる。
【００４６】
さらに、情報処理装置ＰＣ１〜ＰＣｎのＵＩモジュール２１は、例えば、図８に示すように、ＵＩモジュール２１が、複数種類のフォントで記載した確認文字と該確認文字を選択するラジオボタンからなる表示態様情報入力画面ＵＧ４をディスプレイに表示して、この表示態様情報入力画面ＵＧ４でオペレータが自己の見やすいフォントの文字を示すラジオボタンを選択操作することで、直接、表示態様に関する情報としてのフォントを取得してもよい。
【００４７】
このように表示態様に関する情報に対応する複数種類のフォントを表示して、操作者が適宜選択した選択結果を該操作者の表示態様に関する情報として直接取得して、画面表示態様の制御を行うと、操作者の視覚的特徴により一層適したフォント等の表示態様で画面表示することができる。
【００４８】
なお、弱視の場合に、図８の表示態様情報入力画面ＵＧ４で、見やすいフォントを選択させるときには、図６に示した視覚的特徴入力画面ＵＧ２での視力確認入力及び図７に示した視覚的特徴入力画面ＵＧ３での視力テストによる視覚的特徴に関する項目の入力処理を省いてもよい。
【００４９】
このようにすると、オペレータによる入力操作を簡略化して、利用性を向上させることができる。
【００５０】
そして、上記図６及び図７の視覚的特徴入力画面ＵＧ２、ＵＧ３及び図８の表示態様情報入力画面ＵＧ４による視覚的特徴に関する項目及び表示態様に関する情報の入力処理は、図４の視覚的特徴対応表示制御処理での処理ステップのうち、ステップＳ１０３とステップＳ１０５の間で行ってもよいし、ステップＳ１０２とステップＳ１０３の代わりの処理として行ってもよい。
【００５１】
また、オペレータが色弱者の場合、表示態様に関する情報の他の入力方法としては、例えば、図９に示すように、ＵＩモジュール２１が、複数のカラーのフォントで記載した確認文字と該確認文字を選択するラジオボタンからなる表示態様情報入力画面ＵＧ５をディスプレイに表示して、この表示態様情報入力画面ＵＧ５でオペレータが自己の見やすいカラーのフォントの文字を示すラジオボタンを選択操作することで、表示態様に関する情報の入力を行ってもよい。
【００５２】
さらに、上記視覚的特徴に関する項目の入力処理で入力された視覚的特徴に関する項目に対応する表示態様や表示態様に関する情報の入力処理で入力された表示態様に関する情報に対応する画面表示態様がオペレータの見やすい状態であるかを確認して、実際の印刷設定画面の表示に移行したり、適宜変更可能としてもよい。
【００５３】
この場合、ＵＩモジュール２１は、例えば、図１０に示すような表示確認を促す確認画面（設定変更手段）ＵＧ６を表示する。図１０の確認画面ＵＧ６では、フォントの確認を行って、「ＯＫ」か、「キャンセル」または「もう一度設定しなおす」を選択することを促す画面となっている。
【００５４】
このようにすると、一度選択・設定した画面表示をより適切な表示態様に変更することができ、利用性をより一層向上させることができる。
【００５５】
また、この場合、ＵＩモジュール２１は、「もう一度設定しなおす」が選択操作されると、現在設定されている表示態様を、直前の表示態様に戻してもよい。
【００５６】
このようにすると、設定のし直しを簡単かつ容易に行うことができ、利用性をより一層向上させることができる。
【００５７】
そして、上記視覚的特徴に関する項目の入力処理で入力された視覚的特徴に関する項目に対応する表示態様に関する情報や表示態様に関する情報の入力処理で入力された表示態様に関する情報は、該入力時のプリンタドライバのみの情報とするだけでなく、情報処理装置ＰＣ１〜ＰＣｎのデフォルト情報として保管して、他のプリンタドライバでの印刷設定画面の表示に利用するようにしてもよい。
【００５８】
すなわち、図１１に示すように、上述のようにしてオペレータＯＴが１つのプリンタドライバＰＤａにおいて視覚的特徴に関する項目の入力処理で入力された視覚的特徴に関する項目に対応する表示態様に関する情報や表示態様に関する情報の入力処理で入力された表示態様に関する情報としてフォントの種類を確定すると、プリンタドライバＰＤａのＵＩモジュール２１が、該フォントの種類のリストをフォントリスト情報としてプリンタドライバＰＤａに登録するだけでなく、プリンタドライバ共通のデフォルトフォント情報として、情報処理装置ＰＣ１〜ＰＣｎの不揮発性メモリ３０に登録する。
【００５９】
このフォントリストは、例えば、図１２に示すように、フォントリストネーム（Font List Name）、ログインユーザネーム（Login User Name）、フォントタイプ（Font Type）、コンボボックスのフォントの種類及びラジオボタンのフォントの種類等からなっている。
【００６０】
この不揮発性メモリ３０を全てのプリンタドライバ（図１１の場合、プリンタドライバＰＤａとプリンタドライバＰＤｂ）に共有のメモリスペースとして、プリンタドライバＰＤａとプリンタドライバＰＤｂが利用可能とする。そして、プリンタドライバＰＤｂが起動されると、プリンタドライバＰＤｂのＵＩモジュール２１が、不揮発性メモリ３０のデフォルトフォント情報を読み出して、内部のフォントリストを該デフォルトフォント情報で更新し、更新後のデフォルトフォントによる印刷設定画面の表示を行う。
【００６１】
このようにすると、複数のプリンタドライバＰＤａ、ＰＤｂで印刷設定を行う場合に、いちいちそれぞれのプリンタドライバＰＤａ、ＰＤｂで表示態様の設定操作を行うことなく、操作者に適切な表示態様の印刷設定画面を速やかに表示することができ、より一層利用性を向上させることができる。
【００６２】
また、各プリンタドライバＰＤａ、ＰＤｂは、それぞれ複数のフォントリストを保持していてもよいし、デフォルトフォントも複数種類格納して、オペレータが適宜選択して利用できるようにしてもよい。
【００６３】
このようにすると、操作者は、適宜フォントリストを選択することで、自己に適した表示態様の印刷設定画面を速やかに表示させることができ、より一層利用性を向上させることができる。
【００６４】
さらに、フォントリストを１人のオペレータ名（ユーザ名）に対して複数種類登録可能とし、上記視覚的特徴対応表示制御処理でオペレータが選択した表示態様に関する情報（フォントの種類）をフォントリストとして不揮発性メモリ３０に複数種類登録して、適宜、オペレータが自己に対応して登録されているフォントリストを選択して、印刷設定画面の画面表示態様として利用できるようにしてもよい。
【００６５】
このようにすると、操作者は、操作時の自己の状態や環境状態等に応じて、見やすい表示態様の印刷設定画面を適切に選択して速やかに表示させることができ、より一層利用性を向上させることができる。
【００６６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６７】
本発明は、印刷設定画面等の各種操作画面を表示するコンピュータ等の表示制御装置に適用することができる。
【図面の簡単な説明】
【００６８】
【図１】本発明の表示制御装置、表示制御プログラム及び記録媒体の一実施例を適用した印刷システムのシステム構成図。
【図２】図１の情報処理装置のソフトウェア構成を示す図。
【図３】図２の表示態様情報選択条件記憶部に格納されているフォント一覧の一例を示す図。
【図４】図２の情報処理装置による視覚的特徴対応表示制御処理を示すフローチャート。
【図５】図４の視覚的特徴対応表示制御処理で表示される弱視者か否かを問い合わせる視覚的特徴入力画面の一例を示す図。
【図６】情報処理装置による視覚的特徴対応表示制御処理で表示される視力を問い合わせる弱視者用の視覚的特徴入力画面の一例を示す図。
【図７】情報処理装置による視覚的特徴対応表示制御処理で表示される弱視者用の視力検査を行う視覚的特徴入力画面の一例を示す図。
【図８】情報処理装置による視覚的特徴対応表示制御処理で表示される見やすいフォントの選択を行わせる弱視者用の表示態様情報入力画面の一例を示す図。
【図９】情報処理装置による視覚的特徴対応表示制御処理で表示される見やすいフォントの選択を行わせる色弱者用の表示態様情報入力画面の一例を示す図。
【図１０】情報処理装置による視覚的特徴対応表示制御処理で表示される表示確認を促す確認画面の一例を示す図。
【図１１】情報処理装置の１つのプリンタドライバによる視覚的特徴対応表示制御処理での選択結果のフォントリストを情報処理装置の共有情報として登録して他のプリンタドライバでの利用を可能とする処理の説明図。
【図１２】視覚的特徴対応表示制御処理で作成・登録されるフォントリストの一例を示す図。
【符号の説明】
【００６９】
１  印刷システム
ＮＷ  ネットワーク
ＰＣ１〜ＰＣｎ  情報処理装置
Ｐｒ１〜Ｐｒｍ  印刷装置
１１  アプリケーション
１２  ＯＳ
１３  プリンタドライバ
２１  ＵＩモジュール
２２  描画処理モジュール
２３  表示態様情報選択条件記憶部
２４  送信モジュール
ＵＧ１、ＵＧ２、ＵＧ３、  視覚的特徴入力画面
ＵＧ４、ＵＧ５  表示態様情報入力画面
ＵＧ６  確認画面
【図１】
2008176158.tif 000003
【図２】
2008176158.tif 000004
【図３】
2008176158.tif 000005
【図４】
2008176158.tif 000006
【図５】
2008176158.tif 000007
【図６】
2008176158.tif 000008
【図７】
2008176158.tif 000009
【図８】
2008176158.tif 000010
【図９】
2008176158.tif 000011
【図１０】
2008176158.tif 000012
【図１１】
2008176158.tif 000013
【図１２】
2008176158.tif 000014